(57)【要約】      （修正有）【課題】かご内で携帯端末の充電が切れた際に、速やかに充電できるエレベータ装置を提供する。【解決手段】かご１５を昇降させるモータ２５を駆動制御して、かご１５の走行開始および走行停止をつかさどる走行制御部３０４を有する制御装置３００と、かご１５内に設けられ、携帯端末がかご１５内に存在することを検知する検知部６５と、この検知に基づいてかご１５を走行するためのかご呼び信号を発生するかご呼び発生装置８０と、第１の一端部と第１の他端部とを有する第１のＵＳＢ電源線７１の一端部を制御装置３００に接続し、かご１５内には、携帯端末を充電可能なＵＳＢコンセント６０にＵＳＢ電源線７１の他端部が接続される、ものである。【選択図】図３
2020117347.tif 000002
【特許請求の範囲】
【請求項１】
エレベータのかごと、
前記かごを上昇又は下降する駆動源となるモータを駆動制御して、前記かごが走行するための走行指令信号を生成する走行制御手段を有する制御装置と、
前記かご内に設けられると共に、携帯端末が前記かご内に存在することを検知して検知信号を発生する検知手段と、
前記かご内に設けられると共に、前記検知信号に基づいて前記走行制御手段が前記走行指令信号を生成するために必要な第１のかご呼び信号を発生することが可能となる第１のかご呼び発生手段と、
直流電源に接続された第１の入力部と第１の出力部とを有し、前記第１の入力部を前記制御装置又は前記第１のかご呼び発生手段に接続された第１のＵＳＢ電源線と、
前記かご内に設けられると共に、前記第１の出力部に接続されたＵＳＢコンセントと、
を備えたことを特徴とするエレベータの装置。
【請求項２】
前記第１の入力部が前記制御装置に接続されており、
第１の一端部と第１の他端部とを有しており、前記第１の一端部を前記制御装置に接続すると共に、前記第１の他端部を前記第１のかご呼び発生手段に接続された第１のＵＳＢ通信線と、
前記第１のかご呼び信号を前記第１のＵＳＢ通信線を用いてユニバーサル・シリアル・バスにより前記制御装置に通信する第１のＵＳＢ通信手段と、
を備えたことを特徴とする請求項１に記載のエレベータの装置。
【請求項３】
前記第１の入力部が前記第１のかご呼び発生手段に接続されており、
第２の一端部と第２の他端部とを有しており、前記第２の一端部を前記第１のかご呼び発生手段に接続すると共に、前記第２の他端部を前記検知手段に接続された第２のＵＳＢ通信線と、
前記検知信号を前記第２のＵＳＢ通信線を用いてユニバーサル・シリアル・バスにより前記第１のかご呼び発生手段に通信する第２のＵＳＢ通信手段と、
を備えたことを特徴とする請求項１に記載のエレベータの装置。
【請求項４】
前記第１のＵＳＢ電源線は、前記ＵＳＢコンセントに一端部としての前記第１の出力部が接続された第１の口出し電源線と、この第１の口出し電源線と導通した第１の基幹電源線とから成り、
前記第１のＵＳＢ通信線は、前記第１のかご呼び発生手段の出力に一端部が接続された第１の口出し通信線と、この第１の口出し通信線と導通した第１の基幹通信線とから成り、
前記かごに設けられると共に、前記第１の口出し電源線の他端部に接続された電源用コネクタ手段と、
前記かごに設けられると共に、前記第１の口出し通信線の他端部に接続されたかご呼び用コネクタ手段と、
一端部と他端部を有し、該他端部を前記制御装置に接続すると共に、前記第１の基幹電源線及び前記第１の基幹通信線が内蔵された第１のケーブルと、
前記第１のケーブルの一端部に接続された第１の中継用コネクタ手段と、
前記かごに設けられ、前記電源用コネクタ手段、前記かご呼び用コネクタ手段をそれぞれ挿入可能な第１の接続部、第２の接続部を有し、前記第１の中継用コネクタ手段が挿入可能であると共に、前記第１の接続部、前記第２の接続部とそれぞれ電気的に接続された第１の中継用接続部を有する第１のＵＳＢハブ手段と、
を備えたことを特徴とする請求項２に記載のエレベータの装置。
【請求項５】
前記第１のＵＳＢ電源線は、前記ＵＳＢコンセントに一端部が接続された第１の口出し電源線と、この第１の口出し電源線と導通した第１の基幹電源線とから成り、
前記第２のＵＳＢ通信線は、前記検知手段の出力に一端部が接続された第２の口出し通信線と、この第２の口出し通信線と導通した第２の基幹通信線とから成り、
前記かごに設けられると共に、前記第１の口出し電源線の他端部に接続された電源用コネクタ手段と、
前記かごに設けられると共に、前記第２の口出し通信線の他端部に接続された検知用コネクタ手段と、
一端部と他端部を有し、該他端部が前記第１のかご呼び発生手段に接続すると共に、前記第１の基幹電源線及び前記第２の基幹通信線が内蔵された第２のケーブルと、
前記第２のケーブルの一端部に接続された第２の中継用コネクタ手段と、
前記かごに設けられ、前記電源用コネクタ手段、前記検知用コネクタ手段をそれぞれ挿入入可能な第１の接続部、第３の接続部を有し、前記第２の中継用コネクタ手段が挿入可能であると共に、前記第１の接続部、前記第３の接続部とそれぞれ電気的に接続された第２の中継用接続部を有する第２のＵＳＢハブ手段と、
を備えたことを特徴とする請求項３に記載のエレベータの装置。
【請求項６】
エレベータのかごと、
前記かごを上昇又は下降する駆動源となるモータを駆動制御して、前記かごが走行するための走行指令信号を生成する走行制御手段を有する制御装置と、
予めアプリがインストールされた携帯端末からの近距離無線による信号の受信に基づいて前記走行制御手段が前記走行指令信号を生成するために必要な第２のかご呼び信号を発生する第２のかご呼び発生手段と、
直流電源に接続された第２の入力部と第２の出力部とを有し、前記第２の入力部を前記第２のかご呼び発生手段に接続された第２のＵＳＢ電源線と、
前記かご内に設けられると共に、前記第２の出力部に接続されたＵＳＢコンセントと、
を備えたことを特徴とするエレベータの装置。
【請求項７】
前記検知手段は、前記かご内に設けられと共に、前記携帯端末をセットするセット手段を有し、
前記セット手段に前記携帯端末がセットされたことを検知して検知信号を発生し、
前記第１のかご呼び発生手段は、前記検知信号に基づいて前記第１のかご呼び信号を発生可能とする、
ことを特徴とする請求項１に記載のエレベータの装置。
【請求項８】
前記ＵＳＢコンセントに電源の供給するために閉成し、前記電源の遮断をするために開放するスイッチ手段と、
前記かごが階間停止することを検知して階間停止信号を発生する階間停止検出手段と、
前記階間停止信号の発生に基づいて前記スイッチ手段を開放から閉成するスイッチ制御手段と、
を備えたことを特徴とする請求項１又は４に記載のエレベータの装置。
【請求項９】
前記エレベータの各乗場に設けられると共に、前記携帯端末から発生して近距離の無線により伝送された情報を受信して、乗場呼び信号を発生する乗場呼び発生手段を備え、
前記走行制御手段は、前記乗場呼び信号に基づいて前記かごを走行して目的階に停止する、
ことを特徴とする請求項１又は４に記載のエレベータの装置。
【請求項１０】
前記かご内に設けられると共に、前記携帯端末の第１の認証番号を記憶した記憶手段と、
前記検知手段は、さらに、前記かご内に設けられと共に、前記携帯端末をセットするセット手段を有し、前記携帯端末が前記セット手段にセットされると、前記携帯端末から第２の認証番号を読み込むことにより、前記記憶手段から読み出した前記第１の認証番号と前記第２の認証番号とが一致すると、前記検知信号を発生する、
ことを特徴とする請求項３に記載のエレベータの装置。
【発明の詳細な説明】
【技術分野】
【０００１】
本発明は、エレベータの装置に関し、特に、かご内に設けられたＵＳＢ電源を有し、ＵＳＢ通信に関するものである。
【背景技術】
【０００２】
エレベータのかご内に、商用電源用のコンセントを設置することが行われている。下記特許文献１に記載のように、かご内の床と壁とを連結する巾木部分にコンセントを装着しておいて、コンセントの取付け板の前面を遮へいする隠し巾木を可動可能に設け、必要な時は、隠し巾木を動かしてコンセントを使用できる。これにより、粉塵等によるコンセントの接触不良を防止し得る。
【０００３】
また、下記特許文献２に記載のように、エレベータの乗客がかご内電話機の受話器を取ったことを検出する検出手段と、電話機と電話回線とを接続又は切断する切替え手段を備え、検出手段が動作した時に、切替え手段を動作して電話機の接続を切断し、切替え手段を動作して中央監視装置と電話機を接続し中央監視装置のオペレータと乗客とで会話を行なえるものがある。これにより、非常通報用のインターホンを廃止することができる。
【先行技術文献】
【特許文献】
【０００４】
【特許文献１】実開昭６０−８５５６８号公報
【特許文献２】特開２００２−３４８０６５号公報
【発明の概要】
【発明が解決しようとする課題】
【０００５】
しかし、昨今のように、携帯端末を個人が所有することが一般的となってきているので、かご内に電話機を常設するよりは、上記携帯端末を利用して、エレベータの階間停止等の異常事態では、かご内に存在する乗客が所有する携帯端末を利用して監視センターなどと連絡することが可能となる。
このような状況下において、発明者は、異常の際等に、いざ携帯端末を利用しようとすると、充電が頻繁に行われる携帯端末の蓄電池が切れていることも充分にあり得る。しかも、かごの乗車の際に、携帯端末を所有せずに乗り込むことが生じるという課題を見出した。
【０００６】
本発明は、上記のような課題を解決するためになされたもので、かご内で携帯端末の所有が必須になると共に、携帯端末の畜電池が切れていても、畜電池に速やかに充電可能な充電手段をかご内に有するエレベータの装置を提供することを目的とする。
【課題を解決するための手段】
【０００７】
第１の発明に係るエレベータの装置は、エレベータのかごと、
前記かごを上昇又は下降する駆動源となるモータを駆動制御して、前記かごが走行するための走行指令信号を生成する走行制御手段を有する制御装置と、
前記かご内に設けられると共に、携帯端末が前記かご内に存在することを検知して検知信号を発生する検知手段と、
前記かご内に設けられると共に、前記検知信号に基づいて前記走行制御手段が前記走行指令信号を生成するために必要な第１のかご呼び信号を発生することが可能となる第１のかご呼び発生手段と、
直流電源に接続された第１の入力部と第１の出力部とを有し、前記第１の入力部を前記制御装置又は前記第１のかご呼び発生手段に接続する第１のＵＳＢ電源線と、
前記かご内に設けられると共に、前記第１の出力部に接続されたＵＳＢコンセントと、を備えたことを特徴とするものである。
【０００８】
このようなエレベータの装置によれば、かご内に携帯端末が存在しないと、検知手段が検知信号を発生しないので、第１のかご呼び発生手段から第１のかごの呼び信号が発生し得なくなり、かごを走行できなくなる。すなわち、かごの走行のためには、かご内で携帯端末が必須となるので、緊急の際には、携帯端末によりかごの外部と音声通信が可能になる。したがって、かご内に外部と連絡するための電話機等の設置が不要となる。しかも、携帯端末の畜電池の電源が切れていても、ＵＳＢコンセントから蓄電池に充電できるので、携帯端末の充電切れにも対応できる。
【０００９】
第２の発明に係るエレベータの装置は、前記第１の入力部が前記制御装置に接続されており、
第１の一端部と第１の他端部とを有しており、前記第１の一端部を前記制御装置に接続すると共に、前記第１の他端部を前記第１のかご呼び発生手段に接続された第１のＵＳＢ通信線と、
前記第１のかご呼び信号を前記第１のＵＳＢ通信線を用いてユニバーサル・シリアル・バスにより前記制御装置に通信する第１のＵＳＢ通信手段と、を備えることが好ましい。
これにより、第１のＵＳＢ通信手段は、第１のかご呼び発生手段から発生した第１のかご呼び信号をユニバーサル・シリアル・バスにより制御装置に簡易に通信（送信）できる。しかも、第１のＵＳＢ電源線と第１のＵＳＢ通信線を併用することにより、配線が簡易になる。
【００１０】
第３の発明に係るエレベータの装置は、前記第１の入力部が前記第１のかご呼び発生手段に接続されており、
第２の一端部と第２の他端部とを有しており、前記第２の一端部を前記第１のかご呼び発生手段に接続すると共に、前記第２の他端部を前記検知手段に接続された第２のＵＳＢ通信線と、
前記検知信号を前記第２のＵＳＢ通信線を用いてユニバーサル・シリアル・バスにより前記第１のかご呼び発生手段に通信する第２のＵＳＢ通信手段と、を備えることが好ましい。
これにより、第２のＵＳＢ通信手段は、かご内に携帯端末が存在すると、検知手段から発生した検知信号を第１のかご呼び発生手段に簡易に通信（送信）できる。しかも、第１のＵＳＢ電源線と第２のＵＳＢ通信線とを併用することにより、配線が簡易になる。
【００１１】
第４の発明に係るエレベータの装置における前記第１のＵＳＢ電源線は、前記ＵＳＢコンセントに一端部が接続された第１の口出し電源線と、この第１の口出し電源線と導通した第１の基幹電源線とから成り、
前記第１のＵＳＢ通信線は、前記第１のかご呼び発生手段の出力に一端部が接続された第１の口出し通信線と、この第１の口出し通信線と導通した第１の基幹通信線とから成り、
前記かごに設けられると共に、前記第１の口出し電源線の他端部に接続された電源用コネクタ手段と、
前記かごに設けられると共に、前記第１の口出し通信線の他端部に接続されたかご呼び用コネクタ手段と、
一端部と他端部を有し、該他端部が前記制御装置に接続すると共に、前記第１の基幹電源線及び前記第１の基幹通信線が内蔵された第１のケーブルと、
前記第１のケーブルの一端部に接続された第１の中継用コネクタ手段と、
前記かごに設けられ、前記電源用コネクタ手段、前記かご呼び用コネクタ手段をそれぞれ挿入可能な第１の接続部、第２の接続部を有し、前記第１の中継用コネクタ手段が挿入可能であると共に、前記第１の接続部、前記第２の接続部とそれぞれ電気的に接続された第１の中継用接続部を有する第１のＵＳＢハブ手段と、を備えることが好ましい。
これにより、ＵＳＢコンセントと第１のかご呼び発生手段とをそれぞれ第１の口出し電源線、第１の口出し通信線により第１のＵＳＢハブ手段に接続し、第１のかご呼び発生手段を第１のＵＳＢハブ手段及び第１のケーブルを介して制御装置に接続する。第１のＵＳＢハブ手段を有しているので、ＵＳＢコンセントと第１のかご呼び発生手段との配線の自由度が向上する。
【００１２】
第５の発明に係るエレベータの装置における前記第１のＵＳＢ電源線は、前記ＵＳＢコンセントに一端部が接続された第１の口出し電源線と、この第１の口出し電源線と導通した第１の基幹電源線とから成り、
前記第２のＵＳＢ通信線は、前記検知手段の出力に一端部が接続された第２の口出し通信線と、この第２の口出し通信線と導通した第２の基幹通信線とから成り、
前記かごに設けられると共に、前記第１の口出し電源線の他端部に接続された電源用コネクタ手段と、
前記かごに設けられると共に、前記第２の口出し通信線の他端部に接続された検知用コネクタ手段と、
一端部と他端部を有し、該他端部が前記第１のかご呼び発生手段に接続すると共に、前記第１の基幹電源線及び前記第２の基幹通信線が内蔵された第２のケーブルと、
前記第２のケーブルの一端部に接続された第２の中継用コネクタ手段と、
前記かごに設けられ、前記電源用コネクタ手段、前記検知用コネクタ手段をそれぞれ挿入入可能な第１の接続部、第３の接続部を有し、前記第２の中継用コネクタ手段が挿入可能であると共に、前記第１の接続部、前記第３の接続部とそれぞれ電気的に接続された第２の中継用接続部を有する第２のＵＳＢハブ手段と、を備えることが好ましい。
これにより、ＵＳＢコンセントと検知手段とを第２のＵＳＢハブ手段に接続し、第２のＵＳＢハブ手段と第２のケーブルとを介して第１のかご呼び発生手段に接続する。第２のＵＳＢハブ手段を有しているので、ＵＳＢコンセントと検知手段との配線の自由度が向上する。
【００１３】
第６の発明に係るエレベータの装置は、エレベータのかごと、
前記かごを上昇又は下降する駆動源となるモータを駆動制御して、前記かごが走行するための走行指令信号を生成する走行制御手段を有する制御装置と、
予めアプリがインストールされた携帯端末からの近距離無線による信号の受信に基づいて前記走行制御手段が前記走行指令信号を生成するために必要な第２のかご呼び信号を発生する第２のかご呼び発生手段と、
直流電源に接続された第２の入力部と第２の出力部とを有し、前記第２の入力部を前記第２のかご呼び発生手段に接続された第２のＵＳＢ電源線と、
前記かご内に設けられると共に、前記第２の出力部に接続されたＵＳＢコンセントと、を備えることが好ましい。
ここで、近距離無線通信とは、通信距離が１０ｃｍ程度のＮＦＣ（ｎｅａｒ ｆｉｅｌｄ ｃｏｍｍｕｎｉｃａｔｉｏｎ）が好ましい。かご内に携帯端末が存在することを確実に検知できるからである。これにより、携帯端末からの近距離無線による信号に基づいて、第２のかご呼び手段がかごを走行するための第２のかごの呼び信号を発生するので、かご内に携帯端末が存在することを簡易で確実に検知できる。さらに、第２のかご呼び発生手段に設けられた直流電源から、かご内に設けられたＵＳＢコンセントに電源を供給するので、第２のＵＳＢ電源線の配線が短くできる。
【００１４】
第７の発明に係るエレベータの装置における前記検知手段は、前記かご内に設けられと共に、前記携帯端末をセットするセット手段を有し、
前記セット手段に前記携帯端末がセットされたことを検知して検知信号を発生し、
前記第１のかご呼び発生手段は、前記検知信号に基づいて前記第１のかご呼び信号を発生可能とする、ことが好ましい。
これにより、検知手段は、かご内に設けられたセット手段に携帯端末がセットされると、検知信号を発生する。検知信号が発生しないと、第１のかご呼び信号が発生しない。したがって、かご内で携帯端末が必須となる。
【００１５】
第８の発明に係るエレベータの装置は、前記ＵＳＢコンセントに電源の供給するために閉成し、前記電源の遮断をするために開放するスイッチ手段と、
前記かごが階間停止することを検知して階間停止信号を発生する階間停止検出手段と、
前記階間停止信号の発生に基づいて前記スイッチ手段を開放から閉成するスイッチ制御手段と、を備えることが好ましい。
これにより、かごが階間停止した場合、かご内と外部と連絡をする必要性が高い場合のみ、ＵＳＢコンセントに給電するようにしたので、無暗に携帯端末に充電することを防止できる。したがって、公共用エレベータに適する。
【００１６】
第９の発明に係るエレベータの装置は、前記エレベータの各乗場に設けられると共に、前記携帯端末から発生して近距離の無線により伝送された情報を受信して、乗場呼び信号を発生する乗場呼び発生手段を備え、
前記走行制御手段は、前記乗場呼び信号に基づいて前記かごを走行して目的階に停止する、ことが好ましい。
これにより、乗場呼び発生手段は、携帯端末から伝送された情報により乗場呼び信号を発生するので、乗り込み階にかごが存在しない場合には、かご内に乗り込む際に携帯端末の所持が必須となり得る。したがって、緊急の際に携帯端末により外部と連絡を取ることができる。ここで、携帯端末と乗場呼び発生装置との通信距離が１０ｍ程度以内に限って通信が可能な近距離通信、例えば、ブルートゥース（登録商標）による無線通信が好ましく、ブルートゥース（登録商標）よりも通信距離がやや長い無線ＬＡＮでも良い。
【００１７】
第１０の発明に係るエレベータの装置段は、前記かご内に設けられると共に、前記携帯端末の第１の認証番号を記憶した記憶手段と、
前記検知手段は、さらに、前記かご内に設けられと共に、前記携帯端末をセットするセット手段を有し、前記携帯端末が前記セット手段にセットされると、前記携帯端末から第２の認証番号を読み込むことにより、前記記憶手段から読み出した前記第１の認証番号と前記第２の認証番号とが一致すると、前記検知信号を発生する、ことが好ましい。
これにより、検知手段は、セット手段にセットされた携帯端末が予め記憶手段に記憶された第１の認証番号の携帯端末でないと、検知信号が発生しないので、かごが走行しなくなり、防犯性が向上し得る。
【発明の効果】
【００１８】
本発明によれば、かご内で携帯端末が存在しないと、かご呼び信号を発生できないので、かご内で携帯端末が必須になる。しかも、携帯端末内の電池が切れた際に速やかにかご内で、充電可能なＵＳＢ電源手段を有するエレベータの装置を提供することができる。
【図面の簡単な説明】
【００１９】
【図１】本発明の一実施の形態によるエレベータの全体図である。
【図２】図１に示すエレベータのかご内の正面図である。
【図３】図１によるエレベータの電気系統を示すブロック図である。
【図４】図１から図３に示すエレベータの装置の動作を示すフローチャートである。
【図５】本発明の他の実施の形態２によるエレベータの電気系統を示すブロック図である。
【図６】本発明の他の実施の形態３によるエレベータの電気系統を示すブロック図である。
【図７】本発明の他の実施の形態４によるエレベータのかご内の正面図である。
【図８】本発明の他の実施の形態４によるエレベータの電気系統を示すブロック図である。
【図９】本発明の他の実施の形態４によるエレベータの装置の動作を示すフローチャートである。
【図１０】エレベータのかご呼び発生装置の変形例を示す正面図である。
【発明を実施するための形態】
【００２０】
実施の形態１．
本発明の一実施の形態を図１から図４によって説明する。図１は、本発明の一実施の形態によるエレベータの全体図である。図１において、個人住宅などに施設されるエレベータ１０は、五停止で各階にかご１５の乗場を有する五階建ての住宅に設置されており、かご１５の一端部１５ａにロープ１９の一端部が連結固定され、昇降路１３の上部に設けられた吊り車２１を介して、ロープ１９の他端部が昇降路１３の下部に設けられた巻上機２３の巻胴２３ａに連結固定されている。巻胴２３ａの軸に回転軸が連結固定されたモータ２５を有している。
【００２１】
昇降路１３の天部から底部までレール３０が設けられており、レール３０に板状のカム３１〜３５がそれぞれ１階から５階のかご１５の戸開可能なドアゾーンに対応して固定されている。かご１５には、カム３１〜３５を機械的に検知してオン・オフする接点を有する回転可能なローラーを有する位置スイッチ１７が設けられており、位置スイッチ１７のローラーがカム３１〜３５の一つに乗り上げることにより、乗場及びかごドアが開放可能な区間となるドアゾーンを検出してドアゾーン検出信号（ＤＺ信号)発生するように形成されている。
【００２２】
エレベータ１０の各階乗場には、携帯端末７００からの無線通信による呼びの要求信号を受信して、乗場呼び信号を発生する乗場呼び発生装置５１〜５５が各階の乗場に対応して設けられている。モータ２５を駆動制御する制御装置３００が設けられており、かご１５と制御装置３００とを通信したり、携帯端末７００に充電したりする第１のケーブル７０ａを有している。ここで、携帯端末７００と乗場呼び発生装置５１〜５５との無線通信の距離は、特に限定されないが、通信距離が１０ｍ程度以内に限って通信が可能な近距離通信、例えば、ブルートゥース（登録商標）による無線通信が好ましい。エレベータ１０の使用状況及び周囲の状況を確認しながら、携帯端末７００と乗場呼び発生装置５１〜５５とが交信することが好ましいからである。なお、携帯端末７００は、音声通信及びデータ通信が共に可能で、認証番号としての携帯電話番号を有しており、スマートホン、タブレット端末等を例示できる。
【００２３】
図２において、かご１５内の正面壁１５ａには、かご１５の階床位置などを表示するインジケータ部１０３と、かご１５を目的階に走行するためのかご呼び信号を発生する第１のかご呼び発生装置８０を有しており、かご呼び発生装置８０には、目的階１Ｆ〜５Ｆにそれぞれ対応したかご呼釦１Ｆ〜５Ｆを有しており、かご１５の扉を強制的に開放する戸開釦８０ａと、この逆に強制的に閉める戸閉め釦８０ｃと、を備えている。かご呼釦１Ｆ〜５Ｆの操作により呼び指令信号が発生することが可能（有効）であることを示す青色灯８８ａと、操作が無効であることを赤色灯８８ｘとを有している。
【００２４】
かご１５内の正面壁１５ａには、携帯端末７００をセットする平面状の設置部６７ａを有するセット手段としての設置台６７が設けられており、設置台６７の天部には、接触スイッチ６５ｓが設けられており、携帯端末７００が設置台６５に載せられると、即ち、セットされると、接触スイッチ６５ｓがオフからオンになって、携帯端末７００がかご１５内に存在することを検知して検知信号を発生する検知手段としての検知部６５を有している。そして、設置台６７の近傍に携帯端末７００を充電できるＵＳＢ電源としてのＵＳＢコンセント６０が設けられている。
【００２５】
図３において、エレベータの装置の電気系統は、制御装置３００と、かご１５内に設けられたかご呼び発生装置８０及びＵＳＢコンセント６０とを有しており、かご呼び発生装置８０及びＵＳＢコンセント６０が制御装置３００とＵＳＢ線群７０により電気的に接続されている。かご１５内では、検知部６５からの検知信号がかご呼び発生装置８０に入力されると、かご呼び発生装置８０からの第１のかご呼び信号の発生が有効になるように形成されている。
【００２６】
制御装置３００におけるかご呼び発生装置８０が生成した第１のかご呼び信号をかご用送受信部８０ｔからユニバーサル・シリアル・バスにより通信により送信し、制御用送受信部３０２がこれを受信して、制御用送受信部３０２が走行制御部３０４に送信し、走行制御手段としての走行制御部３０４では、走行指令信号を生成して発生するように形成されている。走行制御部３０４は、かご呼び信号又は、各階に設けられた乗場呼び発生装置５１〜５５からの乗場呼び信によりかご１５を昇降させる目的階を決定後、上記走行指令信号によりモータ駆動制御部３０６を介してモータ２５を回転してかご１５を昇降することにより、かご１５を目的階に走行させるように形成されている。
なお、制御装置３００には、走行制御部３０４及び直流電源ｅが接続されたメス形状のソケットインサート部３１０ｅを有する制御装置用のコネクタ３１０が設けられている。
【００２７】
第１のＵＳＢ線群７０は、第１のＵＳＢ電源線７１及び第１のＵＳＢ通信線８１を有している。第１のＵＳＢ電源線７１は、一端部としての第１の入力部が制御装置３００に接続されて、他端部としての第１の出力部がＵＳＢコンセント６０とを電気的に接続されている。第１のＵＳＢ通信線８１は、一端部が制御装置３００に接続され、他端部が第１のかご呼び発生装置８０に電気的に接続されている。
【００２８】
第１のＵＳＢ電源線７１は、第１の口出し電源線７１ａと、これと電気的に導通した第１の基幹電源線７１ｓとから成っている。第１のＵＳＢ通信線８１は、第１の口出し通信線８１ａと、これと電気的に導通した第１の基幹通信線８１ｓとから成っている。第１の口出し電源線７１ａは、一端部が電源用コネクタ８４に接続され、他端部がＵＳＢコンセント６０に接続されている。第１の口出し通信線８１ａは、一端部がかご呼び発生装置８０の出力に接続され、他端部がかご呼び用コネクタ８６に接続されている。ここで、第１の基幹電源線７１ｓ及び第１の基幹通信線８１ｓが第１のケーブル７０ａに内蔵されると共に、第１のケーブル７０ａは、一端部がＵＳＢハブ９０に挿入可能な第１の中継用コネクタ９５を有しており、他端部が制御装置３００に設けられたコネクタ３１０のソケットインサート部３１０ｅに挿入可能なオス形状の第１のケーブル用ピンインサート部３１０ｉを有している。
【００２９】
第１のＵＳＢハブ９０には、開口を有する第１の接続部９０ａ、第２の接続部９０ｂが設けられると共に、第１の接続部９０ａ、第２の接続部９０ｂと対向して設けられた開口を有する第１の中継用接続部９０ｅを有している。第１のＵＳＢハブ９０は、第１の接続部９０ａに電源用コネクタ８４が挿入され、第２の接続部９０ｂにかご呼び用コネクタ８６が挿入され、第１の中継用接続部９０ｅに中継用コネクタ９５が挿入されている。これにより、第１のＵＳＢハブ９０を介して第１の基幹電源線７１ｓと第１の口出し電源線７１ａとが電気的な接続を成すとともに、第１の基幹通信線８１ｓと第１の口出し通信線８１ａとが電気的な接続を成している。
【００３０】
これにより、かご呼び発生装置８０のかご用送受信部８０ｔと制御装置３００の制御用送受信部３０２とがユニバーサル・シリアル・バス通信することにより、かご呼び信号を第１のＵＳＢ通信線８１を介して上記通信を実行する第１のＵＳＢ通信手段を成している。
【００３１】
上記のように構成されたエレベータの装置の動作を図１から図４によって説明する。
いま、かご１５が１階で、待機しており、乗客が３階から乗場釦を押すと（ステップＳ１０１）、乗場呼び信号の発生により、走行制御部３０４が走行信号を発生して、モータ駆動制御部３０６を介してモータ２５を回転してかご１５を上昇して３階に停止する（ステップＳ１０３）。乗客がかご１５内に乗り込み（ステップＳ１０５）、携帯端末７００を設置台６７に載せると、（ステップＳ１０７）、検知部６５は、これを検知して接触スイッチ６５ｓをオフからオンにすると共に、検知信号をかご呼び発生装置８０に送信する（ステップＳ１０９）。かご呼び発生装置８０は、かご呼び信号の発生を可能とすると共に、赤色灯８８ｘを消灯して、青色灯８８ａを点灯する。なお、ステップＳ１０１において、待機階と乗り込みかが同一であれば、乗客はそのままかご１５に乗り込むことになる。
【００３２】
乗客が目的階として５階のかご呼び釦５Ｆを押すと、かご呼び発生装置８０がかご呼び信号を発生して、かご用送受信部８０ｔからかご呼び信号をユニバーサル・シリアル・バスによって第１のＵＳＢ通信線８１により制御用送受信部３０２を介して走行制御部３０４へ送信する。走行制御部３０４から生成して発生した走行信号によりモータ駆動制御部３０６を介してモータ２５を回転してかご１５を５階に走行して停止する（ステップＳ１１１）。
【００３３】
本実施の形態によれば、第１のかご呼び発生装置８０から第１のかご呼び信号の発生を可能とするのに、かご１５内に設けられた設置台６７に携帯端末７００が載せられたことを検知部６５が検知して検知信号を発生する。これにより、携帯端末７００をかご１５内に存在しなければ、第１のかご呼び信号が発生しないので、適切に、かご１５内の固定電話機を廃止できると共に、携帯端末７００の蓄電池が切れていても、速やかにかご１５内に設けられたＵＳＢコンセント６０により携帯端末７００の充電が可能となる。
【００３４】
実施の形態２.
本発明の実施の形態を図５によって説明する。図５は、本発明の他の実施の形態（実施の形態２）によるエレベータの電気系統を示すブロック図である。図５中、図３と同一符号は、同一部分を示し、説明を省略する。
実施の形態１は、かご１５と制御装置３００との配線を第１のＵＳＢ線群７０と第１のＵＳＢハブ９０とにより成したが、本実施の形態は、図５に示すように、かご１５内において、ＵＳＢコンセント６０及び検知部６５とかご呼び発生装置８０とを第２のＵＳＢ線群１７０と第２のＵＳＢハブ１９０とより配線するものである。検知部６５には、ユニバーサル・シリアル・バス通信によりかご呼び発生装置８０に送信する検知用送信部６５tを有している。かご呼び発生装置８０から発生したかごの呼び信号をユニバーサル・シリアル・バスによる通信により制御装置３００内の制御用送受信部３０２に送信するＵＳＢ通信線３７２が設けられている。
【００３５】
図５において、第１のかご呼び発生装置８０には、直流電源ｅと、かご用送受信部８０ｔとが接続されたメス形状のソケットインサート部２８２ｅを有するかご呼び発生装置用のコネクタ２８２が設けられている。第２のＵＳＢ線群１７０は、第１のＵＳＢ電源線７１及び第２のＵＳＢ通信線８２から成り、第１のＵＳＢ電源線７１は、一端部としての第１の入力部がかご呼び発生装置８０に接続されて、他端部としての第１の出力部がＵＳＢコンセント６０とを電気的に接続されている。第２のＵＳＢ通信線８２は、第２の口出し通信線８２ａと、これと電気的に導通した第２の基幹通信線８２ｓとから成っている。第２の口出し通信線８２ａは、一端部が検知部６５の出力に接続され、他端部が検知用コネクタ１８６に接続されている。
【００３６】
ここで、第１の基幹電源線７１ｓ及び第２の基幹通信線８２ｓが第２のケーブル１７０ａに内蔵されている。第２のケーブル１７０ａは、一端部が第２のＵＳＢハブ１９０に挿入可能な第２の中継用コネクタ１９５を有しており、他端部がかご呼び発生装置８０に設けられたコネクタ２８２のソケットインサート部２８２ｅに挿入可能なオス形状の第２のケーブル用ピンインサート部２８２ｉに接続されている。
【００３７】
第２のＵＳＢハブ１９０には、開口を有する第１の接続部９０ａ、第３の接続部１９０ｃが設けられると共に、第１の接続部９０ａ、第３の接続部１９０ｃと対向して設けられた開口を有する第２の中継用接続部１９０ｅを有している。第２のＵＳＢハブ１９０は、第１の接続部９０ａに電源用コネクタ８４が挿入され、第３の接続部１９０ｃに検知用コネクタ１８６が挿入され、第２の中継用接続部１９０ｅに第２の中継用コネクタ１９５が挿入されている。これにより、第２のＵＳＢハブ１９０を介して第１の基幹電源線７１ｓと第１の口出し電源線７１ａとの電気的な接続を成すとともに、第２の基幹通信線８２ｓと第２の口出し通信線８２ａとの電気的な接続をも成している。
【００３８】
これにより、検知部６５の検知用送信部６５ｔから検知信号を第２のＵＳＢ通信線８２を介してかご呼び発生装置８０のかご用送受信部８０ｔにユニバーサル・シリアル・バス通信により送信する第２のＵＳＢ通信手段を成している。
【００３９】
本実施の形態によるエレベータとしての動作は、実施の形態１と同様であるので、説明を省略する。本実施の形態によれば、第２のケーブル１７０ａは、かご１５内に設けられたＵＳＢコンセント６０、検知部６５とかご呼び発生装置８０との間を配線されるのに対して、実施の形態１の第１のケーブル７０ａは、かご１５と制御装置３００との間を配線するので、第２のケーブル１７０ａの長さが第１のケーブル７０ａよりも相当短くなるので、省配線となり、ＵＳＢコンセント６０の配線長による電圧降下の影響を受けにくくなる。
【００４０】
実施の形態３.
本実施の形態を図６によって説明する。図６は、本発明の他の実施の形態（実施の形態３）によるエレベータの電気系統を示すブロック図である。図６中、図３と同一符号は、同一部分を示し、説明を省略する。本実施の形態は、ＵＳＢコンセント６０への電源供給をかご１５が階間停止した場合に限り供給するようにしたものである。
【００４１】
図６において、制御装置３００には、かご１５が戸開閉が不可能なドアゾーン外であることを示すドアゾーン外検出信号と、かご１５が停止したことをエンコーダ２７の位置検出信号とからかご１５が階間停止することを検知して階間停止信号を発生する階間停止検出手段としての階間停止検出部３１５を有しており、階間停止信号の発生に基づいてスイッチ手段としての電源スイッチ６２ｓを開放から閉成するスイッチ制御手段としてのスイッチ制御部３１７とを有している。これにより、かご１５が階間停止した場合、かご１５内と外部と連絡をする必要性が高い場合のみ、ＵＳＢコンセント６０に給電するようにしたので、無暗に携帯端末７００に充電することを防止できる。したがって、エレベータ１０が公共である場合等は、ＵＳＢコンセント６０への電源供給をかご１５が階間停止した場合に限り供給するようにしたので、不要な電力供給を回避できる。
【００４２】
実施の形態４.
本実施の形態を図７及び図８によって説明する。図７及び図８において、かご１５の側壁には、第２のかご呼び発生装置１８０を有しており、かご呼び発生装置１８０は、予めアプリがインストールされた携帯端末７００からの操作に基づいてデータ信号を無線により送受信する送受信部１８０ｔを有し、この受信に基づいて第２のかご呼び信号を発生する。これにより、実施の形態１に示すかご呼釦１Ｆ〜５Ｆ、検知部６５、接触スイッチ６５ｓ、設置台６７が不要となっている。携帯端末７００からかご１５を到着したい目的階をデータ信号の発生により指定できるからである。
【００４３】
図８において、第２のかご呼び発生装置１８０から発生した第２のかごの呼び信号をユニバーサル・シリアル・バスによる通信により制御装置３００に送信するＵＳＢ通信線５７２が設けられている。第２のかご呼び発生装置１８０には、送受信部１８０ｔを有しており、携帯端末７００から近距離通信により受信できるように形成されている。ここで、近距離とは、通信距離が１０ｃｍ程度のＮＦＣ（ｎｅａｒ ｆｉｅｌｄ ｃｏｍｍｕｎｉｃａｔｉｏｎ）が好ましい。かご１５内に携帯端末７００が存在することを確実に検知できるからである。
【００４４】
第２のかご呼び発生装置１８０の直流電源ｅを第２のＵＳＢ電源線１７１によってＵＳＢコンセント６０により、携帯端末７００の電源を得るものである。すなわち、第２のＵＳＢ電源線１７１の一端部としての第２の入力部が第２のかご呼び発生装置１８０内の直流電源ｅに接続され、第２のＵＳＢ電源線１７１の他端部として第２の出力部がＵＳＢコンセント６０に接続されている。なお、第３のケーブル２７０ａは、第２のＵＳＢ線１７１のみを内蔵している。
【００４５】
上記のように構成されたエレベータの装置の動作を図１及び図２、図７〜図９によって説明する。図９中、図３と同一符号は、同一部分を示し、説明を省略する。
かご１５が１階に待機状態で、かご１５に乗客が乗り込み（ステップＳ１０５）、乗客の携帯端末７００を操作して、かご１５を３階へ上昇するデータ信号を発生して無線によりを送信すると（ステップＳ２０７）、第２のかご呼び発生装置１８０は、送受信部１８０ｔがデータ信号を受信し、第２のかご呼び信号として目的階を３階とするかご呼び信号を発生してＵＳＢ通信線５７２により、制御用送受信部３０２を介して走行制御部３０４に送信する。これにより、モータ駆動制御部３０６がモータ２５を駆動して、かご１５を目的階となる３階へ走行して停止する（ステップＳ２０９）。
【００４６】
本実施の形態によれば、実施の形態１の図２に示すかご呼び釦１Ｆ〜５Ｆ、設置台６７、接触スイッチ６５ｓを含む検知部６５を省略できると共に、携帯端末７００の操作に基づいて第２のかご呼び発生装置１８０から第２のかご呼び信号を発生するので、かご１５内で携帯端末７００が必須となる。
【００４７】
本実施の形態では、第２のかご呼び発生装置１８０の直流電源からＵＳＢコンセント６０の電源を得ているので、配線が短く省配線であり、配線の電圧降下を低下し得る。しかも、携帯端末７００からの近距離無線により第２のかご呼び発生装置１８０の送受信部１８０ｔが受信する。これにより、携帯端末７００がかご１５内に存在することを、ＵＳＢ通信線などを用いずに検知できる。
【００４８】
本発明は、上記発明の実施の形態の説明に何ら限定されるものではない。特許請求の範囲の記載を逸脱せず、当業者が容易に想到できる範囲で種々の変形態様も本発明に含まれる。
【００４９】
例えば、実施の形態１では、図２に示すように、携帯端末７００を設置台６７に載せたことを検知して検知信号を発生したが、図１０に示すようにしても良い。図１０中、図２と同一符号は、同一部分を示し、説明を省略する。図１０において、かご呼び発生装置２８０には、携帯端末７００の第１の認証番号を記憶する記憶部１８０ｍを有し、設置台６７に携帯端末７００が載せられると、携帯端末７００の第２の認証番号を読み取り部１６５が読み取り、確認部１８０ｃが記憶部１８０ｍに予め記憶された第１の認証番号と一致することを確認すると、検知信号を発生させるようにしても良い。これにより、予め記憶部１８０ｍに記憶された認証番号を有する携帯端末７００以外の物が設置台６７に載せられても、検知信号が発生しないので、かご１５内に携帯端末７００の存在を確実に検知できると共に、特定した携帯端末７００によらなければ、かご呼び発生装置２８０から、かご呼び信号が発生しないので、防犯の上で好ましい。
【符号の説明】
【００５０】
１０  エレベータ、１５  かご、２３  巻上機、２５  モータ、５１〜５５  乗場呼び発生装置、６０  ＵＳＢコンセント、６５  検知部、６７  設置台、７０ａ  第１のケーブル、７１  第１のＵＳＢ電源線、７１ａ  第１の口出し電源線、７１ｓ  第１の基幹電源線、８０  第１のかご呼び発生装置、８０ｔ  かご用送受信部、８１  第１のＵＳＢ通信線、８１ａ  第１の口出し通信線、８１ｓ  第１の基幹通信線、８２  第２のＵＳＢ通信線、８２ａ  第２の口出し通信線、８２ｓ  第２の基幹通信線、８４  電源用コネクタ（電源用コネクタ手段）、８６  かご呼び用コネクタ（かご呼びコネクタ手段）、９０  第１のＵＳＢハブ（第１のＵＳＢハブ手段）、９０ａ  第１の接続部、９０ｂ  第２の接続部、９０ｅ  第１の中継用接続部、９５  第１の中継用コネクタ、１７０ａ  第２のケーブル、１８０  第２のかご呼び発生装置、１８０ｍ  記憶部、１８０ｔ  送受信部、１８６  検知用コネクタ（検知用コネクタ手段）、１９０  第２のＵＳＢハブ（第２のＵＳＢハブ手段）、３００  エレベータの制御装置、３０４  走行制御部、３０６  モータ駆動制御部、３１５  階間停止検出部、３１７  スイッチ制御部、７００  携帯端末。
【図１】
2020117347.tif 000003
【図２】
2020117347.tif 000004
【図３】
2020117347.tif 000005
【図４】
2020117347.tif 000006
【図５】
2020117347.tif 000007
【図６】
2020117347.tif 000008
【図７】
2020117347.tif 000009
【図８】
2020117347.tif 000010
【図９】
2020117347.tif 000011
【図１０】
2020117347.tif 000012